(57)【要約】【課題】自動販売機でも取り扱い可能な、飲料製品容器におしぼりを収容できる飲料水容器を提供する。【解決手段】容器本体と、容器本体外部から内部に向かって窪む凹部である収納スペースを有する飲料水容器であって、それぞれに別々の内容物を収容することができ、全体として自動販売機で取り扱い可能な重さと形状を有する。収納スペースに内容物を収容後、収納スペース全体を覆うように、容器全体又は一部に剥離可能な外装を装着させる。この外装を剥がすことで、収納スペースに収容された内容物を取り出すことができる。これにより本発明にかかる飲料水容器は、容器本体に清涼飲料水を、収納スペースにおしぼりを収容することで、おしぼりつきの飲料水容器を自動販売機でも販売することが可能となる。【選択図】図１
2015155321.tif 000002
【特許請求の範囲】
【請求項１】
飲料水を内部に収容する容器本体と、
容器本体の少なくとも一部を覆う外装と、を備え、
容器本体には外部から内部に向かって窪む凹部が形成され、
外装は、凹部を覆い、
凹部には、おしぼりが収容される、
自動販売機に収容可能な外形に形成された飲料水容器。
【請求項２】
飲料水を内部に収容する容器本体外部から内部に向かって窪む凹部を覆う外装は、
凹部の外形に合わせ、少なくとも凹部より大きい外形に沿って切り取り可能なミシン目を備え、
ミシン目に沿って外装の一部又は全部を剥がすことで、
凹部に収容されているおしぼりを取り出すことができる請求項１に記載の飲料水容器。
【請求項３】
飲料水を内部に収容する容器本体外部から内部に向かって窪む凹部は、
凹部の窪みに指を入れることができるよう形成され、
凹部に収容されたおしぼりを取り出した後には、
利用者が凹部の窪みに指を入れて容器を持ちやすい外形となっている請求項１又は２に記載の飲料水容器。
【発明の詳細な説明】
【技術分野】
【０００１】
本発明は、容器に関するものであり、詳しくは自動販売機で取り扱い可能な、おしぼりを収納する凹部を有する飲料水容器に関するものである。
【背景技術】
【０００２】
日本には飲食の前に手を清潔にする習慣があり、またおしぼりは、日本が発祥の地である。そのため飲食店ではもちろんのこと、お弁当の購入時でも、おしぼりがついてくることは珍しいことではない。飲食の前に手を清潔にしたいと思っても、外出先で手洗い出来る環境でない場合等には、おしぼりはとても重宝する存在と言えるだろう。
【０００３】
また日本は自動販売機大国と言われており、自動販売機の設置台数のみならず、取り扱われている製品の種類も、飲料水に始まり、タバコ、食品類、切符や書籍といったものなど、実に多種多様である。自動販売機全体の約半分を占める飲料水の自動販売機になると、人口50人に1台、都市部に限れば30人に1台の割合で設置されていると言われている。そのため喉が渇いた時には、いつでも容易に飲料水を購入することができる。
【０００４】
このように日本では、おしぼりも自動販売機も馴染み深いものであるが、パチンコ屋等ごく一部を除いて、自動販売機での一般大衆向けのおしぼりの取り扱いは行われていない。
普及には至っていないが、自動販売機等を利用して、おしぼりそのものを販売するアイデアは公報により公知となっている（例えば実願平3−53365号公報、及び特開平10−255138号公報参照）。しかしながら飲料水とセットでおしぼりを扱う概念には至っていない。
また飲料水容器に関しては、飲料水容器に飲料水と食品とを収容できる容器のアイデアが公報によって公知となっている（例えば実登3138525号公報）。しかしながら飲料製品と一緒に扱うものが食品の概念を超えるものではなく、飲料水と一緒におしぼりを扱う概念には至っていない。
【先行技術文献】
【特許文献】
【０００５】
【特許文献１】実願平3−53365号公報
【特許文献２】特開平10−255138号公報
【特許文献３】実登3138525号公報
【発明の概要】
【発明が解決しようとする課題】
【０００６】
飲食の前には手を清潔にする習慣がある日本では、お弁当の購入時でも、使い捨てのおしぼりが一緒に入れられていることは珍しい事ではないが、必ずしもいつもおしぼりがついてくるとは限らず、また手を拭くには小さすぎるおしぼりであることも多い。
【０００７】
飲料水は店頭のみならず自動販売機でも販売されているため、いつでも容易に飲料水を購入することができる。一方でおしぼりは、自動販売機での取り扱いがないのは勿論のこと、雑貨を取り扱っていない店では置いてないことも多く、外出先で欲しいと思った時に購入することは、飲料水を購入するのに比べると遥かに難しい。さらに外出先で“温かい”又は“冷たい”おしぼりを所望するに至っては、喫茶や飲食店等を利用せざるを得ないのが現状である。
【０００８】
また飲料水容器としてペットボトル容器が使われるようになり、ペットボトルが大量に消費されるようになるにつれ、ペットボトル容器のリサイクルが求められている。ペットボトル容器のリサイクルは、ペットボトル本体、キャップ、そしてペットボトルを覆っているシュリンクフィルム（プラスチックゴミ）の3つの分別となるが、消費者自身がペットボトル本体を覆っているシュリンクフィルムを剥がして捨てるまでの分別リサイクルには、まだ至っていないのが現状である。
【０００９】
本発明は、このような実情に鑑みてなされたものであり、外出先での飲食の前や、おしぼりを必要とする時に、いつでも手軽に“温かい”又は“冷たい”おしぼりを飲料水と一緒に購入できるよう、自動販売機においても取り扱い可能な形状を有する、飲飲料水を内部に収容する容器本体と、容器本体外部から内部に向かって形成された窪む凹部を併せ持ち、外装は凹部を覆い、凹部にはおしぼりが収容される飲料水容器の提供を目的とする。
【００１０】
更には飲料水を内部に収容する容器本体と、容器本体の少なくとも一部を覆う外装とを分別しやすくすることで、飲料水容器を捨てる際の分別リサイクルへの効果がより期待できるため、前記飲料水容器は、凹部に収容されたおしぼりを取り出すためには、外装の一部又は全部を引き剥がす必要がある容器であることを目的とする。
【課題を解決するための手段】
【００１１】
上記課題を解決するために、第一に、本発明は、飲料水を内部に収容する容器本体と、容器本体の少なくとも一部を覆う外装とを備えた飲料水容器であって、容器本体には外部から内部に向かって窪む凹部が形成され、外装は凹部を覆い、凹部にはおしぼりが収容されることを特徴とする飲料水容器（発明1）を提供する。
【００１２】
第二に、本発明は、飲料水を内部に収容する容器本体外部から内部に向かって窪む凹部を覆う外装は、凹部の外形に合わせ、少なくとも凹部よりは大きい外形に沿って切り取り可能なミシン目を備えており、ミシン目に沿って外装の一部又は全部を剥がすことで、凹部に収容されているおしぼりを取り出すことができる発明１に記載の飲料水容器（発明２）を提供する。
【００１３】
第三に、本発明は、飲料水を内部に収容する容器本体外部から内部に向かって窪む凹部は、凹部の窪みに指を入れることができるよう形成され、凹部に収容されたおしぼりを取り出した後には、利用者が凹部の窪みに指を入れて容器を持ちやすい外形となっている発明1又は発明2に記載の飲料水容器（発明3）を提供する。
【発明の効果】
【００１４】
本発明に係る容器によれば、自動販売機においても取り扱い可能な形状を有する、飲料水を内部に収容する容器本体と、容器本体外部から内部に向かって形成された窪む凹部を併せ持ち、外装は凹部を覆い、凹部にはおしぼりが収容される飲料水容器の提供により、外出先での飲食の前や、おしぼりを必要とする時に、いつでも手軽に“温かい”又は“冷たい”おしぼりを飲料水と一緒に購入することが可能となる。
【００１５】
更に前記飲料水容器は、凹部に収容されたおしぼりを取り出すためには、容器本体の少なくとも一部を覆う外装の、一部又は全部を引き剥がす必要があるため、飲料水を内部に収容する容器本体と外装とがより分別しやすくなり、飲料水容器を捨てる際の分別リサイクルへの効果が期待できる。
【図面の簡単な説明】
【００１６】
【図１】本発明の一実施形態に係る容器の使用例を示した斜視図である。
【図２】同実施形態に係る容器の斜視図である。
【図３】同実施形態に係る容器の分解斜視図である。
【図４】同実施形態に係る容器におしぼりと飲料水を収容したときの斜視図である。
【発明を実施するための形態】
【００１７】
以下、本発明の一実施形態について、図面に基づいて説明する。図1は本発明の一実施形態に係る容器の使用例を示した斜視図であり、図2は同実施形態に係る容器の斜視図であり、図3は同実施形態に係る容器の分解斜視図であり、図4は同実施形態に係る容器におしぼりと飲料水を収容したときの斜視図である。
【００１８】
まず本実施形態に係る容器1の構成を説明する。図1に示すように、飲料水容器1は飲料水を内部に収容する容器本体10、容器本体外部から内部に向かって形成された窪む凹部である収納スペース11、容器本体を覆う外装であるシュリンクフィルム2、つまみ部分21、ミシン目による切り取り線22、おしぼり3、清涼飲料水4、キャップ5によって構成されている。
【００１９】
図2に示すように、本実施形態における容器1は、容器本体10と、容器本体10に取り付けられたキャップ5と、容器本体10の外周面を覆うように装着されたシュリンクフィルム2から構成されている。そしてシュリンクフィルム2の一部は、剥がしやすいように、つまみ部分21と切り取り線22を有する構造となっている。
【００２０】
図3に示すように容器1は、容器本体10の外部から内部に向かって形成された窪む凹部である収納スペース11を有する容器となっており、容器本体口部12から胴体にかけては、通常の飲料用ペットボトルと同様の形態をしており、上端は開口部を有し、キャップ5が螺合し得るようにねじ山を有する略円筒状となっている。
【００２１】
収納スペース11の大きさは、例えば縦16cm×横3cm×深さ2cm程度が好ましいが、この形と大きさに限られるものではなく、所望の収容物が収納スペース11にすっぽりと収容され、容器本体10の外周面をシュリンクフィルム2が覆うのに支障のない形や大きさであればよい。
【００２２】
また必ずしも収納スペース全体を含む容器本体の一部又は全部に、ミシン目による切り取り線を備えたシュリンクフィルムを装着させる必要はなく、収納スペースに収容された内容物がこぼれ落ちないよう、収納スペース全体を含む容器本体の一部又は全部を、剥離可能な粘着シールで封止させる等でもよい。
【００２３】
図4に示すように、容器1は容器本体10と収納スペース11のそれぞれに別々の内容物を収容できる容器であり、本実施形態では、容器本体10に清涼飲料水4、収納スペース11におしぼり3が収容され、収納スペース11に収容されたおしぼり3がこぼれ出ることがないよう、少なくとも収納スペース全体を覆うように、容器本体10の一部又は全部に、通常の飲料用ペットボトルと同じようにシュリンクフィルム2を装着させる。
ここでいう清涼飲料水とは、食品衛生法で定められている、乳酸菌飲料、乳・乳製品を除く酒精分1容量％未満の飲料のことであり、果実飲料やコーヒーの他にもミネラルウォーターや茶、炭酸飲料なども含むものである。
【００２４】
収納スペース11に収容される内容物は本実施形態ではおしぼり3であり、予め任意量の蒸留水、純水、その他の清浄な水、消毒液、又は香料のすくなくともいずれか一種類を含浸せしめた、例えば15ｃｍ四方程度の大きさの不織布のおしぼり3が、図4に示すようにロール状に折り畳まれ、容易に乾燥しないよう袋詰め密封される。このときおしぼり3の素材はある程度の厚みをもった使い捨ての不織布であることが好ましいが、これに限られるものでなく、例えば布や紙であってもよい。
【００２５】
収納スペース11に収容されるおしぼり3は、おしぼりの乾燥を防ぐため、予め袋詰め密封されていることが好ましいが、未開封のおしぼりが容易に乾燥することなく、少なくとも容器本体に収容されている飲料水の消費期限までは、おしぼりとしての湿潤が保持されるよう配慮されていれば、この限りではない。
例えば収納スペース全体を含む、容器本体の一部又は全部を剥離可能な合成樹脂で覆う等により、容器本体に収容されている飲料水の消費期限までは、収納スペースに収容された未開封のおしぼりが、おしぼりとしての湿潤を保持できるようであれば、おしぼりは袋詰め密封されていなくてもよい。
【００２６】
図１に示すように、容器本体10を覆っているシュリンクフィルム2が、ミシン目による切り取り線22に沿って引き剥がされることで、凹部に収容されているおしぼり3を取り出せるようになっており、切り取り線22は、凹部の外形に合わせ、少なくとも凹部よりは大きい形状であることを特徴とする。
【００２７】
切り取り線22に沿ってシュリンクフィルム2の一部が引き剥がされても、引き剥がされた部分以外のシュリンクフィルム2は容器本体10を覆った状態で残る構造となっていることで、おしぼり3が取り出された後も、商品名やブランド名、原材料名等、飲料製品の内容を伝える大切な役割が果たされるよう配慮されている。
【００２８】
さらには凹部に収容されたおしぼりを取り出すために、容器本体を覆っているシュリンクフィルムの一部又は全部が引き剥がされることで、容器本体とシュリンクフィルムとがより分別しやすくなり、飲料水容器を捨てる際の分別リサイクルへの効果を期待することができる。
【００２９】
また容器本体外部から内部に向かって窪む凹部である収納スペース11は、収納スペース11に収容されたおしぼり3が取り出された後には、凹部の窪みに指を入れて容器本体10を持つことが可能となり、手の小さな子供や、力の弱いお年寄りなどにも持ちやすい容器の形状であることを特徴とする。
【００３０】
本実施形態においては、容器本体10の素材はポリエチレンテレフタレート（PET）、キャップ5の素材はポリプロピレンと通常の飲料ボトルに使用されるものと同じ素材であるが、これに限られるものではなく、容器本体とキャップは合成樹脂又は金属のいずれか一方でできていることを特徴とする。合成樹脂は、ポリエチレンテレフタレートやポリプロピレン、飽和ポリエステル樹脂などの合成樹脂でもよく、また金属はアルミやスチールなどの金属でもよい。
【００３１】
またシュリンクフィルム2の素材は、本実施形態においては延伸ポリスチレン（OPS）フィルムと、通常の飲料用ペットボトルに使用されるものと同じ素材であるが、これに限られるものではなく、延伸ポリスチレン（OPS）フィルム、ポリエチレンテレフタレート（PET）フィルム、他の合成樹脂フィルム、又はそれらの組み合わせによる素材の、少なくともいずれか一つでできていることを特徴とする。
【００３２】
以上のようにして容器1（容器本体10＋収納スペース11＋キャップ5＋シュリンクフィルム2）内に内容物を収容したときの合計質量が350〜650ｇになるように設定されることが好ましいが、内容物が収容された時の容器1の合計質量が、自動販売機において問題なく排出される範囲内に収まるように設定されていればよい。
【００３３】
このように全体として、容器本体に飲料水を、容器本体外部から内部に向かって窪んだ凹部におしぼりを収容し、外装が少なくとも凹部を含む容器本体の一部又は全部を覆う飲料水容器である容器1が得られる。この容器1は、自動販売機でも取り扱い可能な形状と重さを有しているため、本実施形態に係る容器1によれば、店頭で販売するのみならず、自動販売機でも販売することができ、飲料水と一緒にいつでも気軽に“温かい”又は“冷たい”おしぼりが購買者に提供される。
【００３４】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００３５】
収納スペース11に収容する内容物は必ずしもおしぼりに限る必要はなく、飲料水と所望の商品を収容したときに、全体として自動販売機で取り扱い可能な形状と重さを有していることで、店頭のみならず自動販売機においても、飲料水と一緒に所望の商品の販売が可能となる。
【符号の説明】
【００３６】
1  ・・・飲料水容器
10・・・容器本体
11・・・収納スペース
12・・・容器本体口部
2  ・・・シュリンクフィルム
21・・・つまみ部分
22・・・切り取り線
3  ・・・おしぼり
4  ・・・清涼飲料水
5  ・・・キャップ
【図１】
2015155321.tif 000003
【図２】
2015155321.tif 000004
【図３】
2015155321.tif 000005
【図４】
2015155321.tif 000006